(57)【要約】【課題】遊技者が球に触れることなく、上球受皿や下球受皿から全ての球が抜き取れるようにする。【解決手段】球揚送扉４３が揚送球入口２６を閉鎖し、上球抜取操作体１９が操作され、球が上球受皿１１から下球受皿１２に抜き取られることによって揚送球入口２６に取り込まれることなく下球受皿１２に貯蔵され、その後、下球抜取操作体２５が操作されると、球が下球受皿１２から球箱３７に抜き取られ、または、揚送操作体４１が操作されると、球揚送扉４３が揚送球入口２６を開放するとともに揚送モータ３２が駆動し、球が下球受皿１２から上球受皿１１に揚送されて上球受皿１１に貯蔵され、その後、揚送操作体４１が再操作されると、球揚送扉４３が揚送球入口２６を閉鎖してから規定時間後に揚送モータ３１が停止し、球が揚送球導入路３４から揚送球搬送体３３の下部に残らないようになっている。【選択図】図１
2008132104.tif 000002
【特許請求の範囲】
【請求項１】
遊技に使用する球を貯蔵する上球受皿と、上球受皿から抜き取られる球を貯蔵する下球受皿と、上球受皿から下球受皿に球を抜き取る開閉可能な上抜取球入口と、下球受皿から下方外部に球を抜き取る開閉可能な下抜取球出口と、下球受皿から上球受皿に球を搬送する球揚送機構と、下球受皿から球揚送機構に球を取り込む開閉可能な揚送球入口とを備え、下球受皿の球と接触する底面が球を下抜取球出口に向けて流下させる斜面として構成され、揚送球入口が閉鎖すると球を下抜取球出口または下球受皿の球と接触する底面に向けて流下させる斜面として構成され、上抜取球入口が閉鎖すると球が上球受皿に貯蔵され、上抜取球入口が開放しかつ下抜取球出口および揚送球入口が閉鎖すると球が上球受皿から抜き取られて下球受皿に貯蔵され、揚送球入口が閉鎖しかつ下抜取球出口が開放すると球が上記底面を流下して下球受皿から下方外部に全て抜き取られ、下抜取球出口が閉鎖しかつ揚送球入口が開放すると球揚送機構が下球受皿から上球受皿に球を搬送するように駆動し、その球揚送機構の駆動中に揚送球入口が閉鎖するとその閉鎖から規定時間後に上記球揚送機構が停止するように、揚送球入口の開閉と球揚送機構の駆動とが制御されたことを特徴とする遊技機の皿揚球装置。
【請求項２】
請求項１記載の下抜取球出口が閉鎖すると球を揚送球入口に流下させる斜面として構成されたことを特徴とする遊技機の皿揚球装置。
【発明の詳細な説明】
【技術分野】
【０００１】
本発明は、遊技者が球に触れることなく、下球受皿や上球受皿から全ての球が抜き取れる遊技機の皿揚球装置に関する。
【背景技術】
【０００２】
球を遊技媒体として使用するパチンコ遊技機などの遊技機では、下球受皿から上球受皿に球を搬送する皿揚球装置が知られている。図５および図６は、特許文献１で開示された皿揚球装置を備えたパチンコ遊技機を示す。
【０００３】
図６において、パチンコ遊技機は、遊技機枠１の内部に図外の遊技盤を交換可能に取り付ける形態である。遊技機枠１は、固定枠２の前部に可動枠３を備え、可動枠３の前部に前扉４および皿構造体５を備える。固定枠２は、遊技機設置設備に固定される。遊技機設置設備は、パチンコ遊技機を設置する遊技店の島と呼ばれる設備である。可動枠３は、左側に位置するヒンジ６を中心とし、固定枠２の前で前方に開かれかつ後方に閉じられるように、開閉可能である。可動枠３には、図外の施錠装置、図外の遊技盤を交換可能に取り付けるための機構、図外の球発射機構、図外の球払出装置が設けられる。前扉４および皿構造体５は、個別に、左側に位置するヒンジ７を中心とし、可動枠３の前で前方に開かれかつ後方に閉じられるように、開閉可能である。
【０００４】
前扉４には、窓９、前面パネル１０が設けられる。窓９は、前後方向への貫通孔として構成される。前面パネル１０は、窓９を後から塞ぐ大きさの板状である。皿構造体５は、前扉４よりも下部に配置される。皿構造体５の前部には、上球受皿１１、下球受皿１２、球発射操作機構１３が設けられる。上球受皿１１は、遊技に使用する球を貯蔵する容器である。下球受皿１２は、上球受皿１１から抜き取られる球を貯蔵する容器である。
【０００５】
上球受皿１１には、球払出口１５、発射球供給口１６、上抜取球入口１７、上球抜取扉１８、上球抜取操作体１９、揚送球出口２０が設けられる。上球受皿１１の球と接触する底面は、上球受皿１１に取り込まれた球を発射球供給口１６に向けて流下させる斜面を構成する。上球抜取扉１８と上球抜取操作体１９とは互いに図外の連結機構で連結されており、上球抜取操作体１９がばねのばね力に抗し遊技者に操作されるのに伴い連結機構を介して上球抜取扉１８が上抜取球入口１７を開放するように動作し、上記上球抜取操作体１９への遊技者からの操作が解除されるのに伴いばねのばね力で連結機構を介して上球抜取扉１８が上抜取球入口１７を閉鎖するように動作する。つまり、上球抜取扉１８は上球抜取操作体１９の操作に伴い機械式に開閉する構造になっている。
【０００６】
下球受皿１２には、下抜取球入口２２、下抜取球出口２３、下球抜取扉２４、下球抜取操作体２５、揚送球入口２６、揚送操作体２７が設けられる。下球受皿１２の球と接触する底面２８は、下球受皿１２の内部に取り込まれた球を揚送球入口２６に向けて流下させる斜面を構成する。下球抜取扉２４と下球抜取操作体２５とは互いに図外の連結機構で連結されており、下球抜取操作体２５が遊技者で操作されるのに伴い連結機構を介して下球抜取扉２４が下抜取球出口２３を開放するように動作し、上記下球抜取操作体２５への遊技者からの操作が解除されるのに伴い連結機構を介して下球抜取扉２４が下抜取球出口２３を閉鎖するように動作する。つまり、下球抜取扉２４は下球抜取操作体２５の操作に伴い機械式に開閉する構造になっている。
【０００７】
図５において、上球受皿１１および下球受皿１２には、抜取球通路２９および球揚送機構３０が設けられる。球揚送機構３０は、揚送筐体３１、揚送モータ３２、揚送球搬送体３３、揚送球導入路３４、揚送球導出路３５を備える。
【０００８】
図５において、皿揚球装置の動作について説明する。上抜取球入口１７が上球抜取扉１８で閉鎖され、球払出装置から賞球または貸球としての球が払い出された場合、当該球は、図６の球払出口１５から上球受皿１１に払い出され、上球受皿１１の球と接触する底面を球発射球供給口１６に向けて流下して上球受皿１１に貯蔵される。
【０００９】
図５に戻り、前記のように球が上球受皿１１に貯蔵された状態において、遊技者が上球抜取操作体１９を操作し、上球抜取扉１８が実線で示す位置から仮想線で示す位置に移動しかつ停止し上抜取球入口１７を開放する。これによって、球が、矢印Ｘ１で示すように上球受皿１１から上抜取球入口１７と抜取球通路２９および下抜取球入口２２を経由して下球受皿１２に排出された後に下球受皿１２の底面２８を揚送球入口２６に向けて流下して下球受皿１２に貯蔵されるとともに、矢印Ｘ２で示すように揚送球入口２６を経由して揚送球導入路３４に貯蔵される。
【００１０】
そして、球が下球受皿１２および揚送球導入路３４に貯蔵され、球箱３７が下球受皿１２の真下に位置するように遊技機設置設備の棚３８の上に置かれた状態において、遊技者が下球抜取操作体２５を操作すると、下球抜取扉２４が実線で示す位置から仮想線で示す位置に移動しかつ停止して下抜取球出口２３を開放する。これによって、球が、矢印Ｘ３で示すように下抜取球出口２３から落下して球箱３７に取り込まれる。この場合、上記揚送球導入路３４に貯蔵された球は、揚送球導入路３４に残存されたままである。
【００１１】
また、下球抜取扉２４が仮想線で示す位置から実線で示す位置に移動しかつ停止して下抜取球出口２３を閉鎖し、球が下球受皿１２および揚送球導入路３４に貯蔵された状態において、遊技者が揚送操作体２７を操作すると、揚送モータ３２が揚送球搬送体３３を回転し、揚送球搬送体３３が揚送球導入路３４に残存する球および下球受皿１２に貯蔵された球を上方に搬送する。この上方に搬送された球は矢印Ｘ４で示すように揚送球搬送体３３の上部から揚送球導出路３５を経由して揚送球出口２０から上球受皿１１に排出される。
【００１２】
しかしながら、下球受皿１２の底面２８が球を揚送球入口２６に向けて流下させる斜面を構成し、球が揚送球導入路３４に残る構造になっている。このため、揚送球導入路３４に残存する球を抜き取る場合、遊技者が、揚送球入口２６を手などで塞ぎ、揚送操作体２７および上球抜取操作体１９を操作し、球を揚送操作体２７で上球受皿１１に揚送し、この球を上球受皿１１から上球抜取扉１８と抜取球通路２９および下抜取球入口２２を経由して下球受皿１２に排出させ、この球を下球受皿１２から下抜取球出口２３を経由して球箱３７に抜き取られる必要があり、遊技者が揚送球入口２６を手で塞ぐことから、遊技者が球に触れなければならないという欠点がある。
【特許文献１】特開２００１−３５３３２２号公報
【特許文献２】特開２００３−３４００８６号公報
【発明の開示】
【発明が解決しようとする課題】
【００１３】
発明が解決しようとする問題点は、揚送球導入路に残存する球を抜き取る場合、遊技者が球に触れなければならないという点である。
【課題を解決するための手段】
【００１４】
本発明に係る遊技機の皿揚球装置は、遊技に使用する球を貯蔵する上球受皿と、上球受皿から抜き取られる球を貯蔵する下球受皿と、上球受皿から下球受皿に球を抜き取る開閉可能な上抜取球入口と、下球受皿から下方外部に球を抜き取る開閉可能な下抜取球出口と、球受皿から上球受皿に球を搬送する球揚送機構と、下球受皿から球揚送機構に球を取り込む開閉可能な揚送球入口とを備え、下球受皿の球と接触する底面が球を下抜取球出口に向けて流下させる斜面として構成され、揚送球入口が閉鎖すると球を下抜取球出口または下球受皿の球と接触する底面に向けて流下させる斜面として構成され、上抜取球入口が閉鎖すると球が上球受皿に貯蔵され、上抜取球入口が開放しかつ下抜取球出口および揚送球入口が閉鎖すると球が上球受皿から抜き取られて下球受皿に貯蔵され、揚送球入口が閉鎖しかつ下抜取球出口が開放すると球が上記底面を流下して下球受皿から下方外部に全て抜き取られ、下抜取球出口が閉鎖しかつ揚送球入口が開放すると球揚送機構が下球受皿から上球受皿に球を搬送するように駆動し、その球揚送機構の駆動中に揚送球入口が閉鎖するとその閉鎖から規定時間後に上記球揚送機構が停止するように、揚送球入口の開閉と球揚送機構の駆動とが制御されたことを最も主要な特徴とする。下抜取球出口が閉鎖すると球を揚送球入口に流下させる斜面として構成されてもよい。
【発明の効果】
【００１５】
本発明に係る遊技機の皿揚球装置は、下抜取球出口および揚送球入口が閉鎖して球が下球受皿に貯蔵された状態において、下抜取球出口が開放すると球が下球受皿の球と接触する底面を流下して下球受皿から下方外部に全て抜き取られ、また、下抜取球出口および揚送球入口が閉鎖して球が下球受皿に貯蔵された状態において、下抜取球出口が閉鎖しかつ揚送球入口が開放すると球揚送機構が下球受皿から上球受皿に球を搬送するように駆動し、その球揚送機構の駆動中に揚送球入口が閉鎖するとその閉鎖から規定時間後に上記球揚送機構が停止し、球が揚送球入口から球揚送機構に残らないので、遊技者が揚送球入口を手などで塞ぐことが不要であって、遊技者が球に触れることがなく、下球受皿や上球受皿から全ての球が抜き取れるという利点がある。下抜取球出口が閉鎖すると球を揚送球入口に流下させる斜面として構成されれば、遊技者が球に触れることがなく、球が下球受皿から揚送球入口に全て取り込まれるという利点がある。
【発明を実施するための最良の形態】
【００１６】
図１乃至図３は、発明を実施するための最良の形態である。図１乃至図３において、従来と同一機能を有する部分には図５および図６の符号と同一符号を付し、重複説明を省略する。図１は、皿構造体５に設けられた皿揚球装置の縦に切断した模式的な断面を示す。図２は、パチンコ遊技機の遊技機枠１を示す。図３は、皿揚球装置の制御の流れを示す。本明細書において、「前」、「後」、「左」、「右」、「上」、「下」の方向は、図２の状態に遊技機枠１を置いて矢印Ａで示す前方から見た場合に特定される方向である。
【００１７】
図２において、球払出口１５が上球受皿１１の右側に設けられたこと、発射球供給口１６と上抜取球入口１７および上球抜取扉１８が上球受皿１１の左側に設けられたこと、上球抜取操作体１９および揚送操作体４１が皿構造体５における上球受皿１１の前を覆い隠す前面４２に設けられたこと、下球受皿１２の底面２８が下球受皿１２の内部に取り込まれた球を下抜取球出口２３に向けて流下させる斜面を構成したこと、揚送球入口２６には球揚送扉４３が設けられたこと、下球抜取扉２４および球揚送扉４３の双方が閉じた場合に球揚送扉４３の上面が下球抜取扉２４の上面よりも上方に配置され、下球抜取扉２４が閉じた場合に下球抜取扉２４の上面が球を揚送球入口２６に向けて流下させる斜面を構成し、球揚送扉４３が閉じた場合に球揚送扉４３の上面が球を下抜取球出口２３または底面２８に向けて流下させる斜面を構成したこと、球揚送扉４３が開いた場合に球揚送扉４３の上面が球を揚送球入口２６から揚送球導入路３４（図１参照）に向けて流下させる斜面を構成したことが図６と相違する。揚送操作体４１は、遊技者に操作された場合、球揚送扉４３と図１の揚送モータ３２とが動くように構成されたことで、図５の揚送操作体２７と機能が異なる。
【００１８】
つまり、上記球揚送扉４３が揚送球入口２６に設けられたことは、揚送球入口２６が開閉可能に構成されことと、同義語である。下球抜取扉２４および球揚送扉４３の双方が閉じた場合に球揚送扉４３の上面が下球抜取扉２４の上面よりも上方に配置されたことは、揚送球入口２６および下抜取球出口２３の双方が閉鎖した場合に揚送球入口２６が下抜取球出口２３よりも上方に配置されたことと、同義語である。下球抜取扉２４が閉じた場合に下球抜取扉２４の上面が球を揚送球入口２６に向けて流下させる斜面を構成することは、下抜取球出口２３が閉鎖した場合に球を揚送球入口２６に向けて流下させる斜面を構成することと、同義語である。球揚送扉４３が閉じた場合に球揚送扉４３の上面が球を下抜取球出口２３または底面２８に向けて流下させる斜面を構成したことは、揚送球入口２６が閉鎖した場合に球を下抜取球出口２３または底面２８に向けて流下させる斜面を構成することと、同義語である。球揚送扉４３が閉じた場合に球揚送扉４３の上面が球を下抜取球出口２３または底面２８に向けて流下させる斜面を構成したことは、揚送球入口２６が開放した場合に球を揚送球入口２６から揚送球導入路３４の方に流下させる斜面を構成することと、同義語である。
【００１９】
球揚送扉４３が揚送球入口２６を閉鎖しかつ揚送モータ３２が停止した状態において、揚送操作体４１が操作されると、球揚送扉４３が揚送球入口２６を開放し、揚送モータ３２が駆動する。球揚送扉４３が揚送球入口２６を開放しかつ揚送モータ３２が駆動した状態において、揚送操作体４１が操作されると、球揚送扉４３が揚送球入口２６を閉鎖し、それから規定時間後に揚送モータ３２が停止する。この球揚送扉４３が揚送球入口２６を開放しかつ揚送モータ３２が駆動した状態において、揚送操作体４１が操作される場合を、揚送操作体４１の再操作と称する。
【００２０】
図３を参照し、皿揚球装置の制御の流れについて説明する。図３において、揚送操作体４１が操作されるごとに揚送操作検出器４９が揚送開始信号を制御装置５０に出力し、制御装置５０が揚送モータ３２を制御する。具体的には、制御装置５０に内蔵されたコンピュータが、電気の供給を受けたことによって起動すると、制御装置５０を示すブロックの中に図示したフローチャートにしたがった揚送モータ３２に対する処理を実行する。つまり、揚送操作体４１が操作され、揚送操作検出器４９が揚送開始信号を制御装置５０に出力すると、ステップ１０１における揚送操作の判定がＹＥＳとなり、ステップ１０２に進む。
【００２１】
ステップ１０２では、揚送操作中であることを示すフラグがコンピュータのＲＡＭに設定されているか否かを判定する。ステップ１０２の判定において、フラグがＲＡＭに設定されていなければ、揚送操作中ではなく、ステップ１０１で入力された揚送開始信号が再入力ではない揚送開始信号であり、ステップ１０２がＮＯであるので、ステップ１０３に進む。ステップ１０３では、揚送操作中であることを示すフラグをコンピュータのＲＡＭに設定し、ステップ１０４に進む。ステップ１０４では、制御装置５０が揚送モータ３２を駆動するとともに揚送モータ３２に対する駆動を自己保持し、コンピュータによる処理の１サイクルを終わる。
【００２２】
上記ステップ１０２の判定において、フラグがＲＡＭに設定されていれば、揚送操作中であり、ステップ１０１で入力された揚送開始信号が再入力された揚送開始信号であり、ステップ１０２がＹＥＳであるので、ステップ１０５に進む。ステップ１０５では、揚送経過時間を計時し、ステップ１０６に進む。ステップ１０６では、ステップ１０５で計時した揚送経過時間が規定時間に到達したか否かを判定する。ステップ１０６の判定において、揚送経過時間が規定時間に到達していなければ、ステップ１０６がＮＯであり、ステップ１０５にジャンプする。ステップ１０６の判定において、揚送経過時間が規定時間に到達していれば、ステップ１０６がＹＥＳであり、ステップ１０７に進む。ステップ１０７では、制御装置５０が揚送モータ３２に対する駆動の自己保持を解除するとともに揚送モータ３２を停止し、ステップ１０８に進む。ステップ１０８では、フラグをＲＡＭから消去し、コンピュータによる処理の１サイクルを終わる。
【００２３】
上記制御の処理によれば、揚送操作体４１が操作されると、制御装置５０が揚送モータ３２を駆動するともに揚送モータ３２に対する駆動を自己保持する。そして、制御装置５０が揚送モータ３２に対する駆動を自己保持した状態において、揚送操作体４１が操作されると、制御装置５０が揚送操作検出器４９からの揚送開始信号の再入力を検出し、この再入力の検出から規定時間後に、制御装置５０が揚送モータ３２に対する駆動の自己保持を解除するとともに揚送モータ３２を停止する。規定時間は、制御装置５０の再入力を検出してから揚送球搬送体３３が揚送球導入路３４に残存する全ての球を揚送球導出路３５に揚送するまでに要する時間として、経験則から求められ、制御装置５０におけるコンピュータのＲＯＭに設定される。
【００２４】
図１を参照し、皿揚球装置の動作について説明する。上球抜取扉１８が上抜取球入口１７を閉鎖した状態において、球が上球受皿１１に貯蔵される場合、当該球は上球受皿１１から球発射球供給口１６と上球抜取扉１８の底面を経由しつつ球発射球供給通路４６から発射球送出口４７に到達する。そして、遊技者が図２の球発射操作機構１３を操作すると、発射球送出機構４８における電磁ソレノイドのようなアクチュエータが発射球送出体を駆動し、発射球送出体が球を図外の球発射機構の発射動作に合わせて球発射機構に発射球として１個ずつ供給する。球発射機構は、球発射操作機構１３（図２参照）から出力された操作量に応じた発射力で例えば１分間に１から１００発未満までの規定数の間隔で駆動し、発射球送出機構４８から供給された図外の遊技盤の前面に向けて発射する。
【００２５】
前記のように球が上球受皿１１に貯蔵された状態において、遊技者が上球抜取操作体１９を操作すると、上球抜取扉１８が例えば図１の紙面の表面から裏面の方に横移動して上抜取球入口１７を開放する。これによって、上球受皿１１から発射球送出口４７に到達している球が、発射球送出口４７に残ることなく、矢印Ｘ１で示すように球発射球供給通路４６から抜取球通路２９および下抜取球入口２２を経由して下球受皿１２に排出される。
【００２６】
そして、下球抜取扉２４が実線で示す位置に停止して下抜取球出口２３を閉鎖し、球揚送扉４３が実線で示す位置に停止して揚送球入口２６を閉鎖した状態において、上記のように球が上球受皿１１から下球受皿１２に排出された場合、当該球は下球受皿１２の底面２８または球揚送扉４３の上面４４を下抜取球出口２３に向けて流下して下球受皿１２に貯蔵される。
【００２７】
前記のように球が下球受皿１２に貯蔵され、球箱３７が下球受皿１２の真下に位置するように遊技機設置設備の棚３８の上に置かれた状態において、遊技者が下球抜取操作体２５を操作すると、下球抜取扉２４が実線で示す位置から仮想線で示す位置に移動しかつ停止して下抜取球出口２３を開放し、球が矢印Ｘ３で示すように下球受皿１２の下抜取球出口２３から下球受皿１２の下方外部に落下して球箱３７に取り込まれる。
【００２８】
下球抜取扉２４が仮想線で示す位置から実線で示す位置に移動しかつ停止して下抜取球出口２３を閉鎖し、球が下球受皿１２に貯蔵された状態において、遊技者が揚送操作体４１を操作すると、球揚送扉４３が実線で示す位置から仮想線で示す位置に移動しかつ停止して揚送球入口２６を開放するとともに揚送モータ３２が駆動する。これによって、球が、矢印Ｘ２で示すように、下球抜取扉２４の上面４５から球揚送扉４３の上面４４に到達した後、球揚送扉４３の上面４４から図１の紙面の表面または裏面の方に流下して揚送球入口２６から揚送球入口２６を経由して揚送球導入路３４および揚送球搬送体３３の下部に到達する。そして、揚送モータ３２の駆動によって回転された揚送球搬送体３３が上記揚送球搬送体３３の下部に到達した球を上方に搬送する。この上方に搬送された球は矢印Ｘ４で示すように揚送球搬送体３３の上部から揚送球導出路３５を経由して揚送球出口２０から上球受皿１１に排出される。上記揚送モータ３２の駆動は、制御装置５０（図３参照）により自己保持される。
【００２９】
揚送モータ３２の駆動に伴い、球が下球受皿１２から上球受皿１１に揚送されている最中において、遊技者が揚送操作体４１を再操作すると、球揚送扉４３が仮想線で示す位置から実線で示す位置に移動しかつ停止して揚送球入口２６を閉鎖し、球が揚送球導入路３４に進入することなく下球受皿１２に貯蔵される。球揚送扉４３が揚送球入口２６を閉鎖してから規定時間を経過したら、揚送モータ３２が停止する。これによって、上記球揚送扉４３が揚送球入口２６を閉鎖した時点において、揚送球導入路３４に残る球が、上記揚送モータ３２の規定時間での駆動によって、上球受皿１１に揚送される。つまり、球揚送機構３０の駆動中に球揚送扉４３が閉鎖された場合、球が揚送球入口２６から球揚送機構３０に残らない。
【００３０】
前記揚送操作体４１の再操作後に、遊技者が上球抜取操作体１９を操作すると、上球抜取扉１８が上抜取球入口１７を開放し、球が矢印Ｘ１で示すように上球受皿１１から下球受皿１２に排出される。この場合、すでに、球揚送扉４３が実線で示す位置に停止して揚送球入口２６を閉鎖しているので、下抜取球入口２２から下球受皿１２に排出された球は、下球受皿１２の底面２８または球揚送扉４３の上面４４を下抜取球出口２３に向けて流下して下球受皿１２に貯蔵される。
【００３１】
最良の形態によれば、図１に示すように、下球受皿１２の底面２８が球を下抜取球出口２３に向けて流下させる斜面として構成され、揚送球入口２６が開閉可能に構成され、揚送球入口２６が閉鎖すると球を下抜取球出口２３または底面２８に向けて流下させる斜面として構成され、そして、下抜取球出口２３および揚送球入口２６が閉鎖して球が下球受皿１２に貯蔵された状態において、下抜取球出口２３が開放すると球が底面２８を流下して下球受皿１２から下方外部に全て抜き取られ、また、抜取球出口２３および揚送球入口２６が閉鎖して球が下球受皿１２に貯蔵された状態において、下抜取球出口２３が閉鎖しかつ揚送球入口２６が開放すると球揚送機構３０が下球受皿１２から上球受皿１１に球を搬送するように駆動し、その球揚送機構３０の駆動中に揚送球入口２６が閉鎖するとその閉鎖から規定時間後に球揚送機構３０が停止し、球が揚送球入口２６から球揚送機構３０に残らないので、遊技者が揚送球入口を手などで塞ぐことが不要であって、遊技者が球に触れることがなく、下球受皿や上球受皿から全ての球が抜き取れるという利点がある。
【００３２】
具体的には、球揚送扉４３が揚送球入口２６を閉鎖し、下球抜取扉２４が下抜取球出口２３を閉鎖した状態において、遊技者が上球抜取操作体１９を操作した場合、球が上球受皿１１から下球受皿１２に抜き取られて貯蔵される。そして、球箱３７が下球受皿１２の真下に位置するように遊技機設置設備の棚３８の上に置かれ、遊技者が下球抜取操作体２５を操作すると、球が下球受皿１２から下球受皿１２の下方外部の球箱３７に全て抜き取られる。また、上記のように球が下球受皿１２に貯蔵された後、遊技者が下球抜取操作体２５を操作しないで揚送操作体４１を操作すると、球揚送扉４３が揚送球入口２６を開放するとともに揚送モータ３２が駆動し、球が下球受皿１２から上球受皿１１に揚送されて上球受皿１１に貯蔵される。その後、遊技者が下揚送操作体４１を再操作すると、球揚送扉４３が揚送球入口２６を閉鎖してから規定時間後に揚送モータ３２が停止し、球が揚送球入口２６から球揚送機構３０に残らない。このため、遊技者が揚送球入口２６を手などで塞ぐことが不要であり、遊技者が球に触れることがなく、下球受皿１２から上球受皿１１に球を揚送させたり、上球受皿１１から下球受皿１２に球を抜き取ったり、下球受皿１２から球箱３７に球を抜き取ったりすることができるという利点がある。つまり、遊技者が球に触れることがなく、下球受皿１２や上球受皿１１から全ての球が抜き取れるという利点がある。
【００３３】
最良の形態によれば、図１に示すように、下球抜取扉２４が閉じた場合に下球抜取扉２４の上面４５が球を揚送球入口２６に向けて流下させる斜面を構成するというように、下抜取球出口２３が閉鎖すると球を揚送球入口２６に流下させる斜面として構成されているので、下抜取球出口２３が閉鎖しかつ揚送球入口２６が開放すると、遊技者が球に触れることがなく、球が下球受皿１２から揚送球入口２６に全て取り込まれ、球揚送機構３０が球を下球受皿１２から上球受皿１１に全て搬送することができるという利点がある。
【００３４】
図１において、閉じた下球抜取扉２４と閉じた球揚送扉４３との間の距離Ｄは、１個の球の半径よりも小さな寸法に設定され、下球抜取扉２４が開放しかつ球揚送扉４３が閉鎖した場合、球が距離Ｄの部分に滞留しないようになっている。
【産業上の利用可能性】
【００３５】
球揚送扉４３は、電動式または機械式に開閉することができる。球揚送扉４３を電動式に開閉する場合、球揚送扉４３にアクチュエータを設け、揚送操作体４１の操作に伴いアクチュエータが球揚送扉４３を開放するように動かし、揚送操作体４１の再操作に伴いアクチュエータが球揚送扉４３を閉鎖するように動かす。球揚送扉４３を機械式に開閉する場合、揚送操作体４１と球揚送扉４３とを互いに連結機構で連結しておき、揚送操作体４１の操作に伴い連結機構を介して球揚送扉４３が開放するように動作してその開放状態を保持し、揚送操作体４１の再操作に伴い連結機構を介して球揚送扉４３が閉鎖するように動作してその閉鎖状態を保持する。また、球揚送扉４３を機械式に開閉する場合、揚送操作体４１と球揚送扉４３とを互いに連結機構で連結しておき、揚送操作体４１が遊技者で操作されるのに伴い連結機構を介して球揚送扉４３が揚送球入口２６を開放するように動作し、上記揚送操作体４１への遊技者からの操作が解除されるのに伴い連結機構を介して球揚送扉４３が揚送球入口２６を閉鎖するように動作してもよい。つまり、揚送操作体４１が遊技者で操作されている間は球揚送扉４３が揚送球入口２６を開放し、揚送操作体４１への遊技者による操作が解除されると球揚送扉４３が揚送球入口２６を閉鎖する構造になっている。この場合、揚送操作体４１への遊技者からの操作の解除が揚送操作体４１の再操作に相当する。
【００３６】
図１において、球揚送扉４３が、例えば図１の紙面の表面から裏面の方に横移動して揚送球入口２６を開放するというように、揚送球入口２６に対し左右方向または前後方向に横移動して揚送球入口２６を開放するようにしてもよい。
【００３７】
図１において、下抜取球出口２３および揚送球入口２６が１つの孔となるように連接されたが、下抜取球出口２３および揚送球入口２６が２つの孔として個別に構成さてもよい。
【００３８】
図２において、前扉４および皿構造体５は一体であってもよい。また、球揚送機構３０は、皿構造体５の後部ではなく、皿構造体５の前面と皿構造体５の前面４２との間に位置されるように、皿構造体５の前部にも設けられてもよい。
【００３９】
図２において、遊技機はパチンコ遊技機に限定されるものではなくスロットマシンでもよい。つまり、遊技盤を図柄表示器に置換し、球発射操作機構１３を球取込操作機構に置換し、球発射機構を球取込機構に置換し、遊技開始操作機構および図柄停止操作機構を皿構造体５の前部または前扉４の前部に設ければ、皿揚球装置はスロットマシンにも適用できる。
【００４０】
図４に示すように、球揚送扉４３を構成してもよい。図４のａ図では、球揚送扉４３が実線で示す閉鎖位置と仮想線で示す開放位置とに軸５１を中心として回転するようになっている。この場合、球揚送扉４３は、片開きに限定されるものではなく、両開きであってもよい。図４のｂ図では、球揚送扉４３が実線で示す閉鎖位置と仮想線で示す開放位置とに軸５２を中心として回転する。
【図面の簡単な説明】
【００４１】
【図１】皿揚球装置の縦断面図に相当する模式図（最良の形態）。
【図２】遊技機枠の斜視図（最良の形態）。
【図３】皿揚球装置のフローチャート（最良の形態）。
【図４】球揚送扉を示す模式図（異なる形態）。
【図５】皿揚球装置の縦断面図に相当する模式図（従来）。
【図６】遊技機枠の斜視図（従来）。
【符号の説明】
【００４２】
１は遊技機枠、２は固定枠、３は可動枠、４は前扉、５は皿構造体、６はヒンジ、７はヒンジ、８は欠番、９は窓、１０は前面パネル、１１は上球受皿、１２は下球受皿、１３は球発射操作機構、１４は欠番、１５は球払出口、１６は発射球供給口、１７は上抜取球入口、１８は上球抜取扉、１９は上球抜取操作体、２０は揚送球出口、２１は欠番、２２は下抜取球入口、２３は下抜取球出口、２４は下球抜取扉、２５は下球抜取操作体、２６は揚送球入口、２７は揚送操作体、２８は下球受皿１２の底面、２９は抜取球通路、３０は球揚送機構、３１は揚送筐体、３２は揚送モータ、３３は揚送球搬送体、３４は揚送球導入路、３５は揚送球導出路、３６は欠番、３７は球箱、３８は棚、３９；４０は欠番、４１は揚送操作体、４２は皿構造体５の前面、４３は球揚送扉、４４は球揚送扉４３の上面、４５は下球抜取扉２４の上面、４６は球発射球供給通路、４７は発射球送出口、４８は発射球送出機構、４９は揚送操作検出器、５０は制御装置、５１；５２は軸、Ｄは下球抜取扉２４と球揚送扉４３との間の距離。
【図１】
2008132104.tif 000003
【図２】
2008132104.tif 000004
【図３】
2008132104.tif 000005
【図４】
2008132104.tif 000006
【図５】
2008132104.tif 000007
【図６】
2008132104.tif 000008